(57)【要約】【課題】光ディスク装置において、小型軽量かつ組みたてが容易で簡素な構造のディスク保持機構を提供する。【解決手段】光ディスクを固定するクランパを磁性材料部品と磁性材料部品との連結部を有する合成樹脂製部品の２部品で構成し、同時にクランパを載置するクランパホルダを外装の外蓋と一体的に回動させ、かつクランパ構成２部品の両方からクランパホルダへの係合部を張り出す。これにより機構を最小限の部材で構成する。【選択図】  図８
2004192717.tif 000002
【特許請求の範囲】
【請求項１】
ディスク媒体を装着可能とし、該ディスク媒体に対して情報の記録あるいは再生を行うディスク装置において、
前記ディスク媒体を回転させるターンテーブルと、
前記ディスク媒体を前記ターンテーブル側に押圧して前記ディスク媒体に前記ターンテーブルからのトルクを伝達させるクランパと、
前記ディスク媒体を排出完了した第一の位置から、前記ディスク媒体が記録再生可能な第二の位置まで回動して、前記クランパが前記ディスク媒体を前記ターンテーブル上で記録再生可能となる位置に載置して押圧させ、また第二の位置から第一の位置に該クランパを移動させ前記ディスク媒体取り出し可能とするクランパ保持部材を備え、
該クランパは、該クランパ保持部材との係合部を有する磁性材料部材と、該磁性材料部材との連結部を有する部材の合計２部品で構成されることを特徴とするディスク装置。
【請求項２】
クランパ保持部材は、前記ディスク媒体を挿入及び排出するために設けられた外蓋の開閉に連動して移動し、該外蓋と一体的に開閉する部材であることを特徴とする請求項１に記載のディスク装置。
【請求項３】
前記ディスク媒体は、収納するカートリッジを有する請求項１に記載のディスク装置。
【請求項４】
前記カートリッジを排出完了した第一の位置から、ディスク媒体が記録再生可能な第二の位置まで回動して、前記カートリッジ中の前記ディスク媒体を前記ターンテーブルで回転可能な高さに位置付けるカートリッジホルダを備えることを特徴とする請求項３に記載のディスク装置。
【請求項５】
前記クランパは、前記第一の位置において、その一部が前記カートリッジホルダに設けられたクランパガイド部に接触し、前記第ニの位置において前記クランパは前記カートリッジホルダと接触しないことを特徴とする請求項４に記載のディスク装置。
【発明の詳細な説明】
【０００１】
【発明の属する技術分野】
本発明は、ディスク媒体にデータを記録あるいは再生可能であるディスク装置に関し、特に、ディスク媒体をディスク装置に挿入や排出、あるいは保持する構造に関するものである。
【０００２】
【従来の技術】
光ディスク媒体に情報を記録あるいは再生するディスク装置を搭載し、映像を記録あるいは再生するビデオカメラが商品化されている。光ディスクを収納したカートリッジを使用するビデオカメラのローディング機構の一例として、特許文献１に開示されているものがある。上記開示技術は、記録再生可能な位置からカートリッジ挿入及び排出が可能な状態にするために光ディスクを持ち上げる、いわゆるトップロード型になっており、カートリッジをカートリッジホルダの横方向から差し入れる形態になっている。一方記録再生可能な状態での光ディスク保持のためには光ディスクをスピンドルモータ上端に設けたターンテーブルに上から挟み込んで固定する必要がある。カートリッジを出し入れする際に引っかかりなく行えるようにするために、このクランパはカートリッジ挿入の時にはカートリッジホルダの外に位置し、しかも記録再生可能な位置ではカートリッジホルダの内側に入ってきて光ディスクを挟む位置を取らねばならない。そのため本例ではカートリッジを挿入・排出する時にはクランパがカートリッジの通過スペースから逃げており、カートリッジが挿入完了したところでクランパがターンテーブルに近づいてカートリッジ内の光ディスクを装着させる構成になっている。
また、ディスク装着のための圧着力はターンテーブル内に載置された磁石と、クランパ内に配置された磁性材料により得られる。
【０００３】
ここで整理すると、クランパに求められる仕様としては、１）カートリッジの挿入・排出時にはクランパはカートリッジの通過スペースから逃げている。２）カートリッジが挿入を完了したら磁性材料を保持したクランパがカートリッジに接近し、カートリリッジ内の光ディスクをターンテーブルに圧着させる。３）記録再生時には、クランパはターンテーブルと光ディスクのみに当接する。の３点が挙げられる。
【０００４】
この仕様を満足するために、クランパにはクランパを移動させるクランパ保持部材を配備している。このクランパ保持部材が前記ディスク媒体を挿入・排出する第一の位置と、前記ディスク媒体が記録再生可能な第二の位置に位置を変えることによって、クランパの第一と第二の位置を決める。
【０００５】
また、記録再生中にはこのクランパ保持部材とクランパが当接しない、つまりクランパを移動させるが記録再生中は離れているように、クランパ保持部材を挟んでクランパ保持部材のクランパ用穴の両側にクランパ保持部材との係合のための張り出し部がクランパ内に必要になってくる。
【０００６】
このため両側の張り出し部と磁性材料部材の必要構成要素から、特許文献１に記載の従来技術ではクランパは３部品で構成されており、この３部品を、クランパ保持部材を挟んで組み立てて取り付けていた。
【０００７】
また特許文献２に示す例のようにクランパを２部品で構成するものもある。クランパ保持部材はクランパの第一と第二の位置を決めるためのガイドとして、光ディスクから離間する第一から光ディスクに接近する第二方向と前記第二から前記第一方向への２つの方向に対する係合部をクランパとともに構成する必要があり、特許文献２においては、クランパの張り出し部を間に挟んだ状態でクランパ保持部材と装置カバー等を結合することにより前記第一と第二の両方向の係合部を構成していた。特許文献２の構成においては、ディスクをターンテーブルから引き離す時の大きな力に耐えなければならないため、クランパ保持部材の装置カバー等への取り付けは、ねじ止め等の強固ではあるが時間のかかる組み立て方法が要求される。
【０００８】
【特許文献１】
特開２０００−２１０５９号公報（第９頁、第１９図−第２０図）
【特許文献２】
特開平７−２７２３７０号公報（第３頁、第１図、第６図）
【０００９】
【発明が解決しようとする課題】
上記のように特許文献１に示す従来技術では、クランパの構造は磁石の磁力に対応してターンテーブルに押圧される磁性材料部材と、その磁性材料部材を両側から挟む２つの部品の合計３部品からなっておりクランパを部組みする工数が多くなっていた。また、特許文献２に示す従来技術ではクランパ保持部材とクランパ保持部材を取り付ける部材（例えばカバー）の強固な組み立てが必要であり、実際の部品点数と組み立て作業時間の増加が避けられないものであった。
【００１０】
本発明の目的は、光ディスクビデオカメラ等のディスク装置において、クランパの構成を簡略化して機構の部品点数を削減するとともに、より薄型のディスク保持機構を実現することである。
【００１１】
【課題を解決するための手段】
上記目的を達成するために、ディスクに対して情報の記録あるいは再生が可能なディスク装置において、ディスクを押圧して保持するクランパを、スピンドルモータに押圧する磁力を発生する磁性材料部材と、合成樹脂部材の２部品の構成とした。更にこの２部品構成のクランパを装置外装のディスクカバーと一体的に回動する部材と係合するよう、磁性材料部材と合成樹脂部材のどちらも前記ディスクカバーと一体的に回動する部材と係合部を有し、前記磁性部材との連結部を前記合成樹脂部材に設ける構成とした。
【００１２】
【発明の実施の形態】
以下、本発明のディスク装置の一実施形態として、カートリッジに収納された光ディスクを記録媒体とし、取り込んだ映像や音声等を光ディスクに記録する光ディスクビデオカメラを例に説明する。
【００１３】
図１は、本発明の一実施形態である光ディスクビデオカメラの要部を分解した分解図である。この光ディスクビデオカメラの外形は、フロントケース２、Ｒケース３、Ｌケース４、ディスクカバー５、リアケース６、ＥＦＶ部７及びＬＣＤ部８ほかで形成する。フロントケース２は、ＥＦＶ部７から覗いた映像を撮り込むレンズ部１２、ストロボ等を装着するアクセサリーシューや音声を取り込むマイク１１が取付け可能となっている。また、ＬＣＤ部８は、撮影した映像や装着された記録媒体から再生した映像等を表示できる表示部を備えている。
【００１４】
回路基板１３ａ及び１３ｂには、レンズ部１２で取り込んだ画像、マイク１１で取り込んだ音声の信号処理や信号処理の済んだ画像、音声の記録媒体への記録等、光ディスクビデオカメラの動作全体を制御する回路を形成する。メカ部１４では、光ディスクビデオカメラに装着された記録媒体に、画像や音声を記録したり、既に記録されている画像や音声等のデータを再生したりする。本光ディスクビデオカメラでは、記録媒体として、相変化を利用した光ディスクを用い、メカ部１４で光ディスクを回転させながら光を照射することで、映像や音声等のデータを記録あるいは再生する。
【００１５】
図２は、光ディスクビデオカメラを背面から見たときの、ディスクカバー５を開いた状態での斜視図である。記録媒体たる光ディスクが収納されたカートリッジ１５（図３参照）をメカ部１４のカートリッジホルダ１６に挿入し、さらにカートリッジ１５を押し込むことで、カートリッジホルダ１６は、カートリッジ１５をロックする。なお、カートリッジ１５をロックした状態では、カートリッジ１５のシャッタ１５１（後述する）が開いているので、光ディスクが露出する。カートリッジ１５をロックした後、使用者がディスクカバー５を閉じることで、カートリッジ１５は、映像や音声の記録、再生が可能な位置に装着され、光ディスクビデオカメラは映像や音声の記録、再生ができる。図２に示した状態から記録、再生が可能な位置に装着するためには、使用者が手によってディスクカバー５を押す（閉じる）ことによって行われる。なお、本実施形態の説明において、上面、下面、前面、背面、左側面及び右側面とは、図２に示した面を指すものとする。
【００１６】
図３は、光ディスクビデオカメラ１で用いるカートリッジ１５の平面図である。このカートリッジ１５は、記録媒体たる光ディスク１５６を内部に収納しており、シャッタ１５１が開くことによって光ディスクが外部に露出する構成とする。カートリッジ１５が収納する光ディスク１５６は、表裏両面に映像や音声等のデータを記録できるタイプ、片面のみ映像や音声等のデータを記録できるタイプがあり、この違いにより、カートリッジ１５の構造も変わる。ここでは、表裏両面に映像や音声等のデータを記録できるタイプについて説明する。このタイプでは、シャッタ１５１は、Ａ方向、Ｂ方向の両方向に開く構成である。
【００１７】
以下、光ディスクビデオカメラ１が備えるカートリッジ装着機構について説明する。図４は、メカ部１４を右斜め上面側から見たメカ部１４の構造を示した斜視図である。なお、以降の説明において、カートリッジ挿入方向、カートリッジ排出方向とは、本図に示した通りの方向を意味するものとする。
【００１８】
メカ部１４は、カートリッジホルダ１６、メカシャーシ１７を有する。図示しない衝撃吸収ダンパがメカシャーシ１７を、光ディスクビデオカメラ１のＲケース３に固定する。一方、カートリッジホルダ１６を、カートリッジホルダ１６と回動可能な関係に取り付けられたブラケット１９を介して、メカシャーシ１７に取り付ける。また、クランパ１８１を、隙間を保って保持するクランパ保持部材であるクランプホルダ１８は光ディスクビデオカメラのディスクカバー５に取り付けられている。クランプホルダ１８は金属製で、プラスチック製のディスクカバー５の補強板５１を兼ねている。そして、ディスクカバー５の開閉動作に伴ってカートリッジホルダ１６及びクランプホルダ１８は上面下面方向に回動する構造とする。本図では、ディスクカバー５が開いている場合のメカ部１４の状態を示している。
【００１９】
メカシャーシ１７は、ピン１７１Ａと１７１Ｂを有し、このピン１７１Ａ、１７１Ｂは、カートリッジ１５を正常に挿入した場合には、上述した位置決め孔１５２Ａ、１５２Ｂに挿入されるような位置に設ける。また、メカシャーシ１７は、光ディスク１５６に光を照射して映像や音声等のデータを記録したり反射光を受光して映像や音声等のデータを読み取るピックアップ（図示せず）、光ディスク１５６を回転させるスピンドルモータ３０（図６参照）、前記スピンドルモータ３０の先端にあって後述するクランパ１８１とともに光ディスク１５６を挟み込むターンテーブル３０１等を備えている。
【００２０】
図５は、ディスクカバー５が開き、カートリッジ１５をカートリッジホルダ１６に挿入完了した状態を示す斜視図（ディスクカバーは図示せず）である。図６は、一部を断面としたその側面図である。前述の通りカートリッジホルダ１６はブラケット１９を介してシャーシ１７に取り付けられており、シャーシ１７はＲケース３に取り付けられている。また、ディスクカバー５もまたＲケース３に取り付けられており、ディスクカバー５の回動支点がディスクカバー回転軸１８６である。
【００２１】
カートリッジホルダ１６は、カートリッジホルダ１６に取り付けられた板バネ２５２Ａと２５２Ｂによりカートリッジ１５を固定して、光ディスクビデオカメラ使用者の意思によってカートリッジ１５を引き抜くためにカートリッジ１５を引っ張らない限りは移動しない構成になっている。このカートリッジホルダ１５が固定された段階から、光ディスクビデオカメラ使用者が光ディスクビデオカメラのディスクカバー５を閉じることによって、カートリッジホルダ１６は、図６に示す位置から図７示す位置にカートリッジホルダ回転軸１８５を支点として回動する。
【００２２】
図６に示すディスクカバー５のクランプホルダ１８は、その一部が折り曲げられ、そこにリンクピンＪ５４が固定されている。カートリッジホルダ１６の上面に設けられたガイドブラケット１６８Ｂは、リンク５５の一端に設けられたリンクピンＢ５６と係合し、リンク５５の他端がリンクピンＪ５４と回転自在に係合している。
【００２３】
クランプホルダ１８の先端側に与圧板ばね５７が固定され、前記与圧板ばね５７の自由高さは、上記リンク機構によって決まるクランプホルダ１８とカートリッジホルダ１６の最大間隔より大きい。そのため、リンクピン５４とリンク５５およびガイドブラケット１６８Ｂには常に力が作用しており、相互間は密着している。
【００２４】
ディスクカバー５を使用者がディスクカバー回転軸１８６を中心として回動させて開閉すると、クランプホルダ１８はディスクカバー回転軸１８６を中心に、カートリッジホルダ１６はカートリッジホルダ回転軸１８５を中心に回動し、リンクピンＢ５６はガイドブラケット１６８Ｂの面を滑りながら移動する。ディスクカバー５の回動につれて、クランプホルダ１８とカートリッジホルダ１６の回動角度に差が生じ、ディスクカバー５が開いた状態では、クランプホルダ１８とカートリッジホルダ１６の間の角度は大きく、ディスクカバー５が閉じた状態では、クランプホルダ１８クランプホルダ１８とカートリッジホルダ１６はほぼ平行になる。なお、ディスクカバー５を閉じるには、最終段階で、使用者が与圧板ばね５７の反力に抗して押圧することが必要である。その結果ディスクカバー５が開いた状態では、図６に示すようにクランプホルダ１８に保持されたクランパ１８１はその全部分がカートリッジホルダ１６の外側（上側）にあるが、図７に示すようにディスクカバー５が閉じた状態では、クランパ    １８１の所定の部分がカートリッジホルダ１６の中に入り込んだ状態になる。
【００２５】
図７は、カートリッジ１５が記録あるいは再生可能な位置に保持された状態を示す側面図である。図８でスピンドルモータ３０はターンテーブル３０１部に磁石４００を載置している。一方クランパ１８１には後述するように磁性部材を載置しており、光ディスク１５６が記録あるいは再生可能な状態にある時には、クランパ１８１はスピンドルモータ３０との間で、この磁石４００の磁力によって光ディスク１５６を挟み込んでターンテーブル３０１に押圧して回転する。そのため、光ディスク１５６が記録あるいは再生可能な状態の時には、クランパ１８１とクランプホルダ１８とは全く係合がなく、またカートリッジ１６を挿入もしくは排出あるいはディスクカバー５の開閉の時にはクランパ１８１を保持する高さとなる関係でクランプホルダ１８は取り付けられていて、クランパ１８１はクランプホルダ１８が開くと一体的に動作しターンテーブル３０１から離れる。
【００２６】
図８は、クランパ１８１とターンテーブル３０１により光ディスク１５６を挟み込む要部断面図を示し、図９はクランパ１８１の斜視図を示す。クランプホルダ１８には穴１８ａが開けられている。クランパ１８１は磁性材料からなる圧着板１９２とストッパ１９３の２部品から構成されており、クランプホルダ１８の穴１８ａを通し、クランプホルダ１８を間に挟んで合成樹脂製のストッパ１９３から出ている爪１９３ｂを圧着板１９２に引っ掛けて両者を連結し、クランプホルダ１８に隙間を隔てて取り付けられている。
【００２７】
この爪１９３ｂが圧着板１９２に係合する位置はクランプホルダ１８の穴１８ａの内部であり、また圧着板１９２のフランジ部１９２ａとストッパ１９３のフランジ部１９３ａは、ともに外径は前記穴１８ａの径よりも大きく、また、高さ方向にはクランプホルダ１８と接触することなく所定の寸法離れており、光ディスク１５６が回転する時にはクランパ１８１は回転を阻害されることはない。クランパ１８１はその構成部品である圧着板１９２がスピンドルモータ３０に載置される磁石４００との間に発生する磁力により光ディスク１５６を安定的にターンテーブル３０１に押圧する。光ディスクを押圧する際の前記磁力を所定の大きさにするため、圧着板１９２の磁石４００に対向する部分の半径と磁石４００との間隔そして厚さを決定する。磁力は磁性体と磁石の間隔が小さい方が大きくなり、小型化に有利であるため、本実施形態では圧着板１９２の磁石４００に対向する内側部分は磁石４００に近くなるように凹ませている。
【００２８】
また圧着板１９２とストッパ１９３の係合はこの爪１９３ｂのみである。しかし使用者がディスクカバー５を開いてディスクを装着あるいは取り出ししようとする時にスピンドルモータ３０内に載置される磁石４００の磁力に抗してクランパ１８１が光ディスク１５６から離れる時の荷重は圧着板１９２が受ける構成となっており、ストッパ１９３には離合時ターンテーブル３０１との摩擦による負荷だけになるのでその値としては小さく、合成樹脂製の爪１９３ｂの構造においても強度的には問題ない。
【００２９】
このようにクランパ１８１は、クランプホルダ１８との係合部を有する圧着板１９２とストッパ１９３の２部品からなっており、光ディスク１５６の取り付け・取り出しのためディククカバー５を開閉する時には間にクランプホルダ１８が存在してクランプホルダ１８の動きによってクランパ１８１が連動して動作する。このクランプホルダ１８は金属製の単一部材で構成され別部材の一体成形などを行っていない。このため、クランパ１８１を本体に組付ける場合には、クランプホルダ１８を上下から圧着板１９２とストッパ１９３で挟み込むようにして組む。この組み立てにおいて、圧着板１９２に対し、所定の位置関係にした状態でストッパ１９３を押し込むと、爪１９３ｂが、その先端の設けられた斜面によって最初半径方向に弾性変形し、圧着板１９２を厚み方向に通過した後、弾性により半径方向に戻ることにより圧着板１９２と係合し、圧着板１９２とストッパ１９３は連結される。前記組み立て作業は簡単な位置合わせと押し込むだけの簡単な動作であるため、本体組み付け工程において、他の工程に障害なく行うことができる。
【００３０】
光ディスクカメラの使用者がカートリッジ１５を挿入し、記録あるいは再生を行うためディスクカバー５を閉じようとする時、スピンドルモータ先端部のハブセンター穴３０２とクランパ１８１のセンターピン１９３ｃが所定の精度以内でないとクランパ１８１のセンターピン１９３ｃが前記回動の途中でハブセンター穴３０２に乗り上げてしまってディスクをクランプすることができなくなってしまう。特に前述したように、クランパ１８１を載置するディスクカバー５と一体的に回動するクランパホルダ１８はＲケース３に取り付けられ、また一方カートリッジホルダ１６はシャーシ１７に取り付けられ、さらにシャーシ１７がＲケース３に取り付けられるため、クランパホルダの回動軸（ディスクカバー回動軸）１８６とカートリッジホルダ１６の回動軸１８５の取り付け誤差は大きめであり、センターピン１９３ｃのハブセンター穴３０２への乗り上げの確率が高くなってしまう。
【００３１】
そのためカートリッジホルダ１６から一体的に切り起し、ガイド１６５Ａ〜１６５Ｆを成形する。そしてガイド１６５Ａ〜１６５Ｆの内面とクランパ外周の隙間を所定の値以下にして、センターずれを規制する構成とした。クランプホルダ１８に取り付けられたクランパ１８１はディスクカバー５の開閉動作に伴ってカートリッジホルダ１６に設けたガイド１６５Ａ〜１６５Ｆに沿って移動し、スピンドルモータ３０のターンテーブル３０１とともに光ディスク１５６を挟み込む。
【００３２】
このようにクランパ１８１はカートリッジホルダ１６の上面に設けられたガイド１６５Ａ〜１６５Ｆによってガイドされるが、一方前記ハブセンター穴３０２とセンターピン１９３ｃの相対位置精度を確保するために、クランパ１８１の外径とガイド１６５Ａ〜１６５Ｆの内壁との隙間を押さえる必要がある。そのため、ガイド  １６５Ａ〜１６５Ｆの内径あるいはクランパ１８１の位置を規制するための寸法との差を、組み立てばらつき等を考慮した上で極力小さく押さえた部分がガイド１６５Ａ〜１６５Ｆの下半分に設けられている。一方、クランプホルダ１８が開いた時に、カートリッジホルダ１６の回転中心よりクランプホルダ１６の回転中心の高さが高く、回動角度にも違いがあることにより生じる前後方向のずれやクランパ１８１とカートリッジホルダ１６の角度差による干渉を防止するため、ガイド１６５Ａ〜１６５Ｆの上側は上開きとなっており、その内径あるいはクランパ１８１の位置を規制する寸法は、下半分よりも大きくなっている。
【００３３】
上記のカートリッジホルダ１６とクランプホルダ１８の回動する過程で、図４で示すメカシャーシ１７上のピン１７１Ａ、１７１Ｂはカートリッジ１５の位置決め孔１５２Ａ、１５２Ｂに挿入され、カートリッジ１５がメカシャーシ１７上に位置決めされる。また、カートリッジ１５が正常な方向でカートリッジホルダ１６に挿入され、何らかの理由でカートリッジ１５の位置がずれて位置決め孔１５２Ａ、１５２Ｂにピン１７１Ａ，      １７１Ｂが正常に挿入されない場合に、カートリッジホルダ１６の案内部１６１によってカートリッジ１５は異常な変形をしないように抑制される。
【００３４】
次に、光ディスクビデオカメラ１内に装着されたカートリッジ１５を取り出す時の動作について説明する。図６は、光ディスクビデオカメラ１内に装着されていたカートリッジ１５を取り出し可能な位置に出した状態のメカ部１４の斜視図である。図の番号が同じであることからもわかるように、本状態はカートリッジホルダ１６にカートリッジ１５を挿入完了した状態と同じである。
【００３５】
図７の記録あるいは再生可能な状態状態において、光ディスクビデオカメラのイジェクトボタン（図示せず）を押すと、光ディスクビデオカメラは、ディスクカバー５のロック状態を解除する。そして、使用者がディスクカバー５を開くと、カートリッジホルダ１６及びクランプホルダ１８が図６に示す位置まで回動する。この時、カートリッジホルダ１６とクランプホルダ１８は、両者は相対的に開きながら回動する。上記一連の動作により、カートリッジホルダ１６によるカートリッジ１５の保持状態を保ったまま、カートリッジ１５は図６に示したような取り出し可能な状態となる。カートリッジ１５は、カートリッジホルダ１６に一体的に取付けられ、カートリッジ排出方向に対して略垂直方向に弾性を有する板バネ２５１Ａ、２５１Ｂと、その先端にあるスプリングフック２５２Ａ、２５２Ｂにより、係合保持されているので、使用者は、このカートリッジ１５のカートリッジホルダより露出している部分Ｍ部、Ｎ部（図５参照）を排出方向に引張ることでスプリングフック２５２Ａ、２５２Ｂの係合が解除され、カートリッジ１５を光ディスクビデオカメラ１から取り出すことができる。
【００３６】
以上の説明は、カートリッジに収納された光ディスクを記録媒体とする場合について述べたが、本発明はカートリッジに収納されないディスクやまた磁気ディスクなど他のディスク媒体にも適用できる。
【００３７】
またターンテーブル３０１内に磁石４００を載置する構成としているが、逆に圧着板１９２が磁石でターンテーブル内に磁性部材を配置しても同様に可能である。本発明では圧着板１９２でクランパ１８１が光ディスク１５６から離れる時の荷重を支える構造であり、圧着板の材料を磁石とする場合、磁気特性のみでなく剛性と機械的強度も所定の特性を満足する必要がある。一例として、鉄系の磁石などが考えられる。
【００３８】
【発明の効果】
本発明によれば、ディスク媒体を挿入、保持、そして排出する機構において、必要な部材を最小限に押さえ、小型化した組み立てが容易で簡素な構造のディスク装置を提供することができる。
【図面の簡単な説明】
【図１】一実施例の携帯型情報機器の一例である光ディスクビデオカメラの要部分解図である。
【図２】一実施例のビデオカメラを背面から見た時の、ディスクカバー５を開いた状態の斜視図である。
【図３】一実施例のビデオカメラ１で用いるカートリッジ１５の説明図である。
【図４】一実施例の右斜め上面側から見たメカ部１４の構造を示した斜視図である。
【図５】一実施例のカートリッジを挿入完了し、カートリッジがカートリッジホルダ１６にロックされた状態を示した斜視図。
【図６】図５の側面図。
【図７】一実施例のカートリッジが記録あるいは再生可能な状態の側面図である。
【図８】一実施例のクランパ部分の要素断面図である。
【図９】一実施例のクランパ部の斜視図である。
【符号の説明】
３…Ｒケース、５…ディスクカバー、１４…メカ部、１５…カートリッジ、
１６…カートリッジホルダ、１７…メカシャーシ、１８…クランプホルダ、
１９…ブラケット、５１…補強板、５２…リンク板、５３…リンクピンＰ、
５４…リンクピンＪ、５５…リンク、５６…リンクピンＢ、５７…与圧板ばね、
１５２Ａ〜１５２Ｆ…位置決め孔、１５６…光ディスク、１６５Ａ〜１６５Ｆ…ガイド、１６８Ａ、１６８Ｂ…ガイドブラケット、１７１Ａ、１７１Ｂ…ピン、
２５１Ａ、２５１Ｂ…板バネ、２５２Ａ、２５２Ｂ…スプリングフック、
１８１…クランパ、１８５…カートリッジホルダ回動軸、１８６…ディスクカバー回動軸、１９２…圧着板、１９３…ストッパ、３０１…ターンテーブル、３０２…ハブセンター、４００…磁石。
【図１】
2004192717.tif 000003
【図２】
2004192717.tif 000004
【図３】
2004192717.tif 000005
【図４】
2004192717.tif 000006
【図５】
2004192717.tif 000007
【図６】
2004192717.tif 000008
【図７】
2004192717.tif 000009
【図８】
2004192717.tif 000010
【図９】
2004192717.tif 000011